(57)【要約】  【課題】本発明は、履物の底の硬さを所定部位ごとに異ならせることによって、蹴り返し時に第１指側にかかる荷重を第５指方向および土踏まず方向に逃がすことにより、第１指側に過大な荷重がかかるのを防止して、膝関節症や腰痛、外反母趾や偏平足などの症状を予防および緩和するとともに、底の各部位における硬さの違いによる違和感を解消することにより、快適な履き心地の得られる履物を提供する。  【解決手段】足底部が、硬さの異なる複数の部材で構成されており、第１指から遠ざかるに伴って硬い材質の部材が配置されていて、各部材が、そぎ継ぎまたは相欠け継ぎ形状に接合されている。【選択図】図３
2007130369.tif 000002
【特許請求の範囲】
【請求項１】
足底部が、硬さの異なる複数の部材で構成されており、第１指から遠ざかるに伴って硬い材質の部材が配置されていて、
各部材が、そぎ継ぎまたは相欠け継ぎ形状に接合されていることを特徴とする履物。
【請求項２】
足底部を構成する各部材が、重なり幅５ｍｍ以上で接合されていることを特徴とする請求項１記載の履物。
【請求項３】
足底部における第１指の中足骨頭部を受ける部分が、第５指の中足骨頭部を受ける部分に比べて軟質の材料で形成されていることを特徴とする請求項１または２記載の履物。
【請求項４】
足底部における第１指の中足骨頭部を受ける部分が、土踏まずを受ける部分に比べて軟質の材料で形成されていることを特徴とする請求項１から請求項３のいずれかに記載の履物。
【発明の詳細な説明】
【技術分野】
【０００１】
本発明は、例えば、膝関節症や腰痛、外反母趾や偏平足などの下肢疾患の治療および予防に用いる履物に関するもので、特に、履物の底の硬さを所定部位ごとに異ならせた履物に関するものである。
【背景技術】
【０００２】
本願発明者は、履物の底の硬さを所定部位ごとに異ならせた履物として、図７に示すように、足底を受け止めるクッション部Ｍが、第１指側から、柔軟性を有する第１クッション部Ｍ１、第１クッション部Ｍ１よりもやや硬めの第２クッション部Ｍ２、地面を蹴り返すのに十分な硬さを有する第３クッション部Ｍ３を配置してなる履物を既に提案している (例えば特許文献１参照)。
この履物は、図６に示すように、踵骨Ａ１と第５指の中足骨頭部Ｃ１とを結ぶ線を荷重線Ｋとした場合に、最終的に、第１指中足骨頭部Ｂ１に移動する荷重が、荷重線Ｋを移動するように、蹴り返し荷重の移動方向を変更させるものである。すなわち、第１指側にかかる荷重を第５指方向に逃がすと同時に、土踏まず方向にも逃がすことによって、第１指側の中足骨頭部に過大な荷重がかかるのを防止し、膝関節症や腰痛、外反母趾や偏平足などの症状の予防および緩和する。
【０００３】
しかしながら、上記提案の履物は、図８に示すように、各クッション部Ｍ１，Ｍ２，Ｍ３の接合端面が、厚さ方向に、足裏当接面に対して垂直に形成されているため、指先など皮膚感覚の鋭い部位が、各クッション部Ｍ１，Ｍ２，Ｍ３の境界部分に当接すると、その硬さの違いに強い違和感をもって、履き心地の悪さを感じてしまうという不具合がある。しかし、上記提案の履物は、膝関節症や腰痛、外反母趾や偏平足などの下肢疾患の治療および予防を目的とした履物であるため、治療や予防の目的を達成するまで、着用を続ける必要があり、履き心地が悪いことを原因として、患者が着用を拒絶すると、期待した治療や予防の効果が得られない恐れがある。
【０００４】
ところで、人体の各部位における皮膚感覚の違いについては、「Ｐｈｙｓｉｃａｌ  Ｅｘａｍｉｎａｔｉｏｎ  ｏｆ  ｔｈｅ  Ｎｅｒｖｏｕｓ  Ｓｙｓｔｅｍ  改訂第１２版  南山堂出版」における「（ａ）２点識別  Ｔｗｏ−Ｐｏｉｎｔ  Ｄｉｓｃｒｉｍｉｎａｔｉｏｎ（第９１頁）」に記載されている。すなわち、閉眼させた状態で、皮膚に二つの刺激を同時に加え、識別できるかどうかを検査したときの２点識別の最短距離は、指先で３〜６ｍｍ、手の平、足底で１５〜２０ｍｍ、手の甲、足の甲で３０ｍｍ、脛骨面で４０ｍｍである。つまり、最も感覚の鋭い指先では、２点の距離が３〜６ｍｍ程度であれば、２点を識別できるのである。
【特許文献１】特開平２００５−３４７号公報
【発明の開示】
【発明が解決しようとする課題】
【０００５】
本発明は、上記問題点に鑑みてなされたものであって、その目的とするところは、履物の底の硬さを所定部位ごとに異ならせることによって、蹴り返し時に第１指側にかかる荷重を第５指方向および土踏まず方向に逃がすことにより、第１指側に過大な荷重がかかるのを防止して、膝関節症や腰痛、外反母趾や偏平足などの症状を予防および緩和するとともに、底の各部位における硬さの違いによる違和感を解消することにより、快適な履き心地の得られる履物を提供することにある。
【課題を解決するための手段】
【０００６】
以上の目的を達成するために、
請求項１記載の発明は、足底部が、硬さの異なる複数の部材で構成されており、第１指から遠ざかるに伴って硬い材質の部材が配置されていて、足底部を構成する各部材が、そぎ継ぎまたは相欠け継ぎ形状に接合されていることを特徴とする。
【０００７】
請求項２記載の発明は、請求項１記載の発明において、足底部を構成する各部材が、重なり幅５ｍｍ以上で接合されていることを特徴とする。
【０００８】
請求項３記載の発明は、請求項１または２記載の発明において、足底部における第１指の中足骨頭部を受ける部分が、第５指の中足骨頭部を受ける部分に比べて軟質の材料で形成されていることを特徴とする。
【０００９】
請求項４記載の発明は、請求項１から請求項３記載の発明において、足底部における第１指の中足骨頭部を受ける部分が、土踏まずを受ける部分に比べて軟質の材料で形成されていることを特徴とする。
【００１０】
ここで、そぎ継ぎとは、２つの部材を厚さ方向に斜めに切り接合したものをいい、相欠け継ぎとは、２つの部材を厚さ方向に各半分ずつ欠き取って接合したものをいうものとする。
【発明の効果】
【００１１】
請求項１記載の発明によれば、足底部が、硬さの異なる複数の部材で構成されており、第１指から遠ざかるに伴って硬い材質の部材が配置されていて、足底部を構成する各部材が、そぎ継ぎまたは相欠け継ぎ形状に接合されているので、
第１指側にかかる蹴り返し荷重を第５指方向に逃がすとともに、土踏まずＧ方向に逃がすことにより、第１指の中足骨頭部にかかる過大な荷重を第５指側および土踏まずＧ側に分散することができるので、膝関節症や腰痛、外反母趾や偏平足などの症状を予防および緩和することができる。また、足底部を構成する各部材の境目部分の硬さの違いを感じにくく、快適な履き心地が得られる。
【００１２】
請求項２記載の発明によれば、足底部を構成する各部材が、重なり幅５ｍｍ以上で接合されているので、請求項１記載の発明の効果に加えて、足底部を構成する各部材の境目部分の違和感が解消され、より自然で快適な履き心地が得られる。
【００１３】
請求項３記載の発明によれば、足底部における第１指の中足骨頭部を受ける部分が、第５指の中足骨頭部を受ける部分に比べて軟質の材料で形成されているので、請求項１または２記載の発明の効果に加えて、第１指の中足骨頭部に荷重が集中するのを緩和するとともに、足の横アーチを形成することができる。その結果、膝関節症や腰痛、外反母趾や偏平足などの症状をより一層予防および緩和することができる。
【００１４】
請求項４記載の発明によれば、足底部における第１指の中足骨頭部を受ける部分が、土踏まずを受ける部分に比べて軟質の材料で形成されているので、請求項１から請求項３記載の発明の効果に加えて、第１指の中足骨頭部に荷重が集中するのを緩和するとともに、足の縦アーチを形成することができる。その結果、足にかかる荷重を適正に受け止める膝関節症や腰痛、外反母趾や偏平足などの症状をより一層予防および緩和することができる。
【発明を実施するための最良の形態】
【００１５】
以下に、本発明にかかる履物の実施形態について詳細に説明する。
【００１６】
本実施形態の履物１は、図１に示すように、底部２と、底部２の上部に一体に設けられる甲被部３とを備えている。底部２は、足裏を受け止める足底部４と、足底部４の下面に被着される接地部５とを備えている。
【００１７】
足底部４は、図２から図４に示すように、第１指の足先側に配置される第１クッション部４０１と、第１クッション部４０１の後方に配置される第２クッション部４０２と、第２クッション部４０２の後方に配置される第３クッション部４０３と、第３クッション部４０３の後方から踵側までに配置される第４クッション部４０４と、第４クッション部４０４における踵を受け止める部分に配置される衝撃吸収クッション部４０５とから構成されている。
【００１８】
そして、第１クッション部４０１、第２クッション部４０２、第３クッション部４０３、第４クッション部４０４は、第１指から遠ざかるに伴って硬い材質となっている。具体的には、第１クッション部４０１は、荷重を十分に吸収可能な柔軟性を有し、第２クッション部４０２は、第１クッション部４０１よりもやや硬めであるが、荷重を適度に吸収可能な柔軟性を有し、第３クッション部４０３は、第２クッション部よりも硬く、歩行時の荷重を受け止めることのできる硬さを有し、第４クッション部４０４は、第３クッション部４０３よりも硬く、地面を蹴り返すのに十分な硬さを有している。なお、第５クッション部４０５は、第３クッション部４０３とほぼ同じ硬さで、着地時に踵にかかる荷重を受け止めることのできる硬さを有している。
【００１９】
第１クッション部４０１は、図３に示すように、平面視において、略半月形状に形成されており、前端部が足型形状に沿って湾曲しているとともに、後端部が第１指側から斜め前方に直線状に伸びている。そして、第１クッション部４０１は、第１指の中足骨頭部Ｂおよび第２指の中足骨頭部Ｄの前方半分から指先までを受け止め可能となっている。
さらに、第１クッション部４０１の後端部には、図４に示すように、上向きの接合端面４０１ａが形成されている。
【００２０】
第２クッション部４０２は、図３に示すように、平面視において、第１指側から第５指側に向かって広がる略扇形状に形成されており、前端部が第１クッション部４０１の後端部と同様に、第１指側から斜め前方に直線状に伸びているとともに、後端部が前端部よりも緩やかな傾斜角度で、第１指側から斜め前方に直線状に伸びている。そして、第２クッション部４０２は、第２指の中足骨頭部Ｄの後方半分と、第３指の中足骨頭部Ｅ，第４指の中足骨頭部Ｆの前方半分とを受け止め可能となっている。
さらに、第２クッション部４０２に前端部には、図４に示すように、第１クッション部４０１の接合端面４０１ａに接合する下向きの接合端面４０２ａが形成されている。また、第２クッション部４０２の後端部には、上向きの接合端面４０２ｂが形成されている。
【００２１】
第３クッション部４０３は、図３に示すように、平面視において、第１指側から第５指側に向かってやや広がる略台形状に形成されており、前端部が第２クッション部４０２の後端部と同様に、第１指側から斜め前方に直線状に伸びているとともに、後端部が前端部よりも緩やかな傾斜角度で、第１指側から斜め前方に直線状に伸びている。そして、第４指の中足骨頭部Ｆの後方半分と、第５指の中足骨頭部Ｃを受け止めるとともに、土踏まずＧの手前までを受け止め可能となっている。
さらに、第３クッション部４０３の前端部には、図４に示すように、第２クッション部４０２の接合端面４０２ｂに接合する下向きの接合端面４０３ｂが形成されている。また、第３クッション部４０３の後端部には、上向きの接合端面４０３ｃが形成されている。
【００２２】
第４クッション部４０４は、図３に示すように、平面視において、土踏まずＧから踵までを受け止める形状に形成されており、前端部が第３クッション部４０３の後端部と同様に、第１指側から斜め前方に直線状に伸びているとともに、後端部が足型形状に沿って湾曲している。そして、図４に示すように、第４クッション部４０４の前端部には、第３クッション部４０３の接合端面４０３ｃに接合する下向きの接合端面４０４ｃが形成されている。なお、図４に示すように、第４クッション部４０４における踵に対向する部分の厚さは、その他の部分の約半分になっており、衝撃吸収クッション部４０５が積層されている。
【００２３】
そして、図２，図４に示すように、第１クッション部４０１と第２クッション部４０２とは、第２クッション部４０２の前端縁が上面側となるように、そぎ継ぎ形状に接合されており、接合端面の重なり幅Ｗ１は５ｍｍ以上となっている。
また、第２クッション部４０２と第３クッション部４０３とは、第３クッション部４０３の前端縁が上面側となるように、そぎ継ぎ形状に接合されており、接合端面の重なり幅Ｗ２は５ｍｍ以上となっている。
さらに、第３クッション部４０３と第１硬質クッション部４０４とは、第１硬質クッション部４０４の前端縁が上側となるように、そぎ継ぎ形状に接合されており、接合端面の重なり幅Ｗ３は５ｍｍ以上となっている。
【００２４】
つまり、第１指の中足骨頭部Ｂは、第１クッション部４０１に受け止められ、第２指の中足骨頭部Ｄは、第１クッション部４０１と第２クッション部４０２とがそぎ継ぎ形状に接合された接合部分に受け止められ、第３指の中足骨頭部Ｅは、第２クッション部４０２に受け止められ、第４指の中足骨頭部Ｆは第２軟質クッション部と第３クッション部４０３とがそぎ継ぎ形状に接合された接合部分に受け止められ、第５指の中足骨頭部Ｃは、第３クッション部４０３に受け止められる。
【００２５】
また、第１クッション部４０１，第２クッション部４０２，第３クッション部４０３は、踵側の基準点ｐと第１指の中足骨頭部Ｂを受ける部分の中心点ｑとを通る直線Ｎ上における第２クッション部４０２の後端部４０６との交点をｓとしたときに、交点ｓと踵側の基準点ｐとを結ぶ線分ｂが、踵側の基準点ｐと第５指の中足骨頭部Ｃを受ける部分の中心点ｒとを結ぶ線分ａよりも短くなる関係を満たしている。
【００２６】
本実施の形態の履物１を着用して歩行した場合、まず着地時には、踵部Ａが、第４クッション部４０４の上面に設けられた衝撃吸収クッション部４０５で受け止められて、着地時の衝撃が吸収される。続いて、荷重が踵部Ａから土踏まずＧ側に移動して、踵部Ａから土踏まずＧまでの部分が、第４クッション部４０４で受け止められる。次に、荷重が土踏まずＧよりも前方に移動すると、第１クッション部４０１から第４クッション部に向かって硬くなっているため、第１クッション部４０１に受け止められる第１指の中足骨頭部Ｂに蹴り返し荷重が集中することなく、第１指側から第５指側に逃がすことができるとともに、土踏まずＧ側にも逃がすことができる。すなわち、第２指の中足骨頭部Ｄ、第３指の中足骨頭部Ｅ、第４指の中足骨頭部Ｆ、第５指の中足骨頭部Ｃ、土踏まずＧのそれぞれに蹴り返し荷重を分散することができる。その結果、第１指側の中足骨頭部Ｂに過大な荷重がかかるのを防止でき、膝関節症や腰痛、外反母趾や偏平足などの症状の予防および緩和することができる。
【００２７】
さらに、着地から蹴り返しまでの過程、すなわち、足裏にかかる荷重が、第４クッション部４０４から第３クッション部４０３、第２クッション部４０２に移行し、蹴り返しの最後の段階では、第１クッション部４０１に移行する過程において、蹴り返し荷重が、第１クッション部４０１にかかり、第１指の中足骨頭部Ｂの沈み込みが起こる時、土踏まずＧは、第３クッション部４０３と、第４クッション部４０４に支えられるため、必然的に縦のアーチが形成される。また、蹴り返し荷重が、第１クッション部４０１にかかり、第１指の中足骨頭部Ｂの沈み込みが起こる時、第１指の中足骨頭部Ｂにかかる荷重を、第５指側に逃がしながら、横アーチを保つようになる。
【００２８】
このように、本実施形態の足底部４は、第１指から遠ざかるに伴って硬くなるように、硬さの異なる複数のクッションを配置して形成されているので、横に広がる荷重を前後にも逃がすことができ、足にかかる負担をより一層軽減することができる。
【００２９】
また、第１クッション部４０１、第２クッション部４０２、第３クッション部４０３、第４クッション部４０４のいずれの接合端面も、そぎ継ぎ形状に接合されており、前記接合端面の重なり幅Ｗ１〜Ｗ３が５ｍｍ以上であるので、感覚の鋭い指先部分においても隣り合うクッション材の接合部分における硬さの違いをほとんど感じない。さらに、硬い部材側の端縁が上面側となるように接合されているので、軟らかい部材側の端縁が上面側となる場合に比べて、荷重がかかったときの接合部分の沈み込みが少なく、より一層快適な履き心地が得られる。
【００３０】
（実施例）以下、足底部４の実施例について説明する。
足底部４は、株式会社ロジャースイノアック製の高密度ウレタンフォーム（商品名「ポロン」）で構成されている。足底部４の全長は２５５ｍｍ、最大足幅は９０ｍｍで、厚さは１０ｍｍである。足底部４を構成する各部材の接合端面の重なり幅Ｗ１〜Ｗ３は、Ｗ１＝３０ｍｍ、Ｗ２＝２５ｍｍ、Ｗ３＝３３ｍｍである。また、各接合端面は、接着剤によって接着されている。
【００３１】
次に、足底部４を構成する各部材に使用する製品タイプの一覧を（表１）に、その製品タイプの一般物性を（表２）に示す。
【００３２】
【表１】
2007130369.tif 000003
【００３３】
【表２】
2007130369.tif 000004
【００３４】
なお、足底部４を構成する各部材の接合端面の重なり幅Ｗ１〜Ｗ３は、前記実施例に限られず、５ｍｍ以上であれば構わない。
【００３５】
また、各クッション部４０１，４０２，４０３，４０４の接合端面は、本実施の形態のように傾斜面に形成され、そぎ継ぎ形状に接合する方法に限られず、階段状に形成して、相欠け継ぎ形状に接合してもよい。すなわち、例えば、図５に示すように、クッション部４０１，４０２をそれぞれ、厚さが半分のクッションシート４０１ｘ，４０１ｙ，４０２ｘ，４０２ｙで構成し、所定の重なり幅Ｗ１となるように、位相をずらせて積層させてもよい。このようにすれば、クッション部の接合端面を傾斜面に切断する高度な加工技術を要さず、製造が容易になる。なお、各クッション部４０１，４０２，４０３，４０４の接合端面全てを相欠け継ぎ形状に接合してもよいし、一部をそぎ継ぎにして、残りを相欠け継ぎ形状にしても構わない。
【００３６】
また、各クッション部４０１〜４０５の材質は、上記材質に限られず、他の合成樹脂製の発泡体であってもよい。また、発泡材に限られず、例えば各クッション部を中空状に形成し、内部に流動性物質を充填してもよいし、コルクなどの木製素材であってもよい。さらに、第３クッション部４０３，第４クッション部４０４は、蹴り返しに十分な硬さを有していればよいので、例えば金属で形成してもよい。さらに、衝撃吸収クッション４０５は、必ずしも必要ではない。また、衝撃吸収クッション４０５は、第４クッション部４０４の上面に積層させることに限られず、例えば、第４クッション部４０４の厚さ方向中間部に介装させてもよい。
【００３７】
また、足底部４を構成するクッション部の数量や形状は、上記実施の形態に限られず、足底部が、硬さの異なる複数の部材で構成されており、第１指から遠ざかるに伴って硬い材質の部材が配置されていればよい。したがって、例えば、クッション部をより細分化して、それらのクッション部を第１指から遠ざかるに伴って硬い材質の部材となるように配置してもよい。
【図面の簡単な説明】
【００３８】
【図１】本発明にかかる一実施形態の履物の外観図。
【図２】本実施形態における足底部４の斜視図。
【図３】本実施形態における足底部４の平面図。
【図４】本実施形態における足底部４の左側面図。
【図５】足底部４における他の接合形態を拡大して示す断面図。
【図６】本発明における荷重線Ｋを示す説明図。
【図７】従来の履物の足底部を示す平面図。
【図８】図６におけるＸ−Ｘ線断面図。
【符号の説明】
【００３９】
１        履物
４        足底部
Ｗ１      重なり幅
Ｗ２      重なり幅
Ｗ３      重なり幅
Ｂ        第１指の中足骨頭部
Ｃ        第５指の中足骨頭部
Ｇ        土踏まず
【図１】
2007130369.tif 000005
【図２】
2007130369.tif 000006
【図３】
2007130369.tif 000007
【図４】
2007130369.tif 000008
【図５】
2007130369.tif 000009
【図６】
2007130369.tif 000010
【図７】
2007130369.tif 000011
【図８】
2007130369.tif 000012